Podtech/llm-jp-corpus-v4-ja_patent huggingface dataset:
(57)【要約】【課題】  椅子に股を開いて腰掛けやすく、立ち上がる時も腰・尻・膝への負担を軽減でき使用時も便利な椅子を提供します。【解決手段】椅子の座板の前先端を三角形にカットする、股関節・膝の手術後に股を開いて背もたれまで深く腰掛けられる、前先端三角カットにより転倒防止のため五脚とします椅子の座板の中心に約１０ｃｍ前後の円形の穴をくり開けることにより加齢による尻の筋肉の衰えや痔の痛みを緩和します。椅子の両側に肘掛け手すりを設ける、椅子から立ち上がる時、杖がわりになり腰・膝への負担を軽減できる。以上を特徴とする快便椅子【選択図】図１
2009148522.tif 000002
【特許請求の範囲】
【請求項１】
椅子の座板の前先端を三角形にカットする、股関節、膝の手術後に股を開いて背もたれまで探く腰掛けられる、前先端三角カットにより、転倒防止のため五脚とします
椅子の座板の中心に約１０ｃｍ前後の円形の穴をくり開けることにより、加齢による尻の筋肉の衰えや痔の痛みを緩和します
椅子の両側に肘掛け手すりを設ける、椅子から立ち上がる時、杖がわりになり腰・膝への負担を軽減できる、以上を特徴とする快便椅子。
【発明の詳細な説明】
【技術分野】
【０００１】  本発明は、股を開いて背もたれまで深く腰掛けられ腰と尻への負担を軽減できます
椅子からの立ち上がる時も肘掛け手すりを利用、杖の役目を果たし容易に立つことができます、安定して腰掛けられるよう五脚にした快便椅子です。
【背景技術】
【０００２】  従来の椅子は四角形のため３分の２位しか腰掛けられず、後方があまり背もたれまで届かず疲れる、背もたれまで深く腰掛けると前足が上がり体が不安定です、座板は平面でよいのだが筋肉の衰えた尻は圧迫され負担がかかります。
【発明開示】
【発明が解決しようとする課題】
【０００３】  そのために次のような欠点があった。
（イ）従来の椅子は座板が四角形のため、椅子の３分の２位しか腰掛けられず、疲れます。
（ロ）座板は平板でよいのだが、筋肉の衰えた尻には圧迫され負担がかかります。
（ハ）両足揃えて腰掛けることにより、椅子から立ち上がる時も腰・膝に負担がかかります。
本発明は以上のような欠点をなくすためになされたものである。
【課題を解決するための手段】
【０００４】  椅子の座板の前先端を三角形にカットする、股関節・膝の手術後に股を開いて背もたれまで深く腰掛けられる、前先端三角形のカットにより転倒防止のため五脚とします。
座板の中心に約１０ｃｍ前後の円形の穴をくり抜き空けることにより、加齢による尻の筋肉の衰えや痔の痛みを緩和します。椅子の両側に肘掛け手すりを設ける、椅子から立ち上がるとき杖がわりになり、腰・肘への負担を軽減できる。
以上を特徴とする快便椅子である。
【発明の効果】
【０００５】  椅子の先端を三角形のカットにより、股を開いてゆったり腰掛けられる。座板の円形の穴開きが尻の痛みを緩和する。両側の肘掛け手すりが支えになり、立ち上がる時、杖がわりになり容易に立つことができる。
前先端三角形のカットにより転倒防止のため五脚とします。
【発明を実施するための最良の形態】
【０００６】  以上  本発明の実施の形態を説明する。
（イ）椅子（１）の座板の前先端部三角形にカットします。
（ロ）椅子の（２）の座板の中心に約１０ｃｍ前後の円形の穴をくり抜き開けます。
（ハ）椅子の（３）を背もたれとします。
（ニ）椅子の（４）は、両側に肘掛け手すりを設置します。
（ホ）椅子の（５）は、脚部とします。
本発明は以上のような構成より成り立っている。
これを使用するときは
椅子の（１）は、前先端三角カットにより股を開いて腰かけられます。
椅子の（２）は、円形の穴開きによって、筋肉の衰えた尻の痛みを緩和します。
椅子の（３）は、前三角カットにより背もたれまで深く腰掛けられます。
椅子の（４）は、両側の肘掛け手すりが杖がわりになり立ち上がる時、腰・膝への負担を軽減します。
椅子の（５）は、前先端部三角カットの下部に脚を設け、転倒防止のため五脚とします。
【図面の簡単な説明】
【０００７】
【図１】  本発明の斜視図
【符号の説明】
【０００８】  １  座板
２  円形の穴開き
３  背もたれ
４  肘掛け手すり
５  脚部
【図１】
2009148522.tif 000003
(57)【要約】【課題】揚げ物・蒸し物を電子レンジで温める皿を提供する。【解決手段】皿内側底になる部分と、縁取り立ち上り部分との境目に、クリンプアミを乗せる凹みを設け、凹み部分にクリンプアミをのせ、クリンプアミの上に揚げ物とか蒸し物を乗せ、温めた時滲み出た油とか湯気の水滴が皿内側底にたまり、揚げ物とか蒸し物が油とか湯気の水滴に、接触することなく温めることを特徴とする電子レンジで温める皿。【選択図】図１
2009148527.tif 000002
【特許請求の範囲】
【請求項１】
皿内側底になる部分と、縁取り立ち上り部分との境目に、アミを乗せる凹みを設け、凹み部分にアミを乗せ、アミの上に揚げ物とか蒸し物を乗せ、温めた時滲み出た油とか湯気の水滴が皿内側底にたまり、揚げ物とか蒸し物が油とか湯気の水滴に、接触することなく温められることを特徴とする電子レンジで温める皿。
【発明の詳細な説明】
【技術の分野】
【０００１】  本発明は、皿にアミを乗せ電子レンジで温める皿に関するものである。
【背景技術】
【０００２】  従来、揚げ物とか蒸し物が冷めて、再び電子レンジで温め直す時普通の平皿等の底にペーパー等を敷いて、その上に揚げ物とか蒸し物を乗せ、ラップ等で覆い電子レンジで温めていた。
【発明の開示】
【発明が解決しようとする課題】
【０００３】  そのために、次のような問題点があった。
（イ）揚げ物は、温めた時滲み出た油が皿の底にたまり、揚げ物と皿との接触する部分が、油でべとついてカラッとしていなかった。
（ロ）蒸し物は、温めた時湯気の滴が皿の底にたまり、蒸し物と皿との接触する部分が、湯気の滴でべちゃっとなり蒸し物本来のふわっとした感触が損なわれていた。
（ハ）皿底に、ペーパー等を敷いて揚げ物．蒸し物が、（イ）または（ロ）のようになっていた。
本発明は、これらの問題点を解決するためになされたものである。
【課題を解決するための手段】
【０００４】  皿内側底になる部分と、縁取り立ち上り部分との境目に、アミを乗せる凹みを設ける。凹み部分にアミを乗せる。アミの上に揚げ物とか蒸し物を乗せる。温めた時滲み出た油とか湯気の水滴が皿内側底にたまる。揚げ物とか蒸し物が油とか湯気の水滴に、接触することなく温められる。
以上を特徴とする電子レンジで温める皿である。
【発明の効果】
【０００５】  揚げ物の滲み出た油とか、蒸し物の湯気の水滴とか，アミを介して皿内側底にたまり、揚げ物．蒸し物が油とか水滴に接触することがないため、べとついたリベチャッとならず、揚げ物は揚げたて．蒸し物は蒸したての状態を保つことができる。アミは、平行アミ・格子アミ・クリンプアミ等がある。
クリンプアミの方が、揚げ物・蒸し物に対して点の接点であるから、油・湯気の水滴の切れがよく、揚げ物はカラッとなり、蒸し物は適度な湿りがあり、美味しく召し上がることができる。
【発明を実施するための最良の形態】
【０００６】  以下、本発明の実施の形態について説明する。
（イ）皿内側底（１）部分と縁取り立ち上り（２）部分の境目に凹み（３）を設け、凹み（３）部分にアミ（４）をのせる。
（ロ）アミ（４）の上に冷めた揚げ物とか蒸し物を乗せ、電子レンジで温める。
本発明は以上のような構成で、これを使用するときは、アミ（４）の上に冷めた揚げ物とか蒸し物を乗せ、縁取り立ち上り（２）部分から揚げ物・蒸し物をラップ等で覆い、電子レンジで温める。温められた揚げ物は、吸収されている油が滲み出て、皿内側底（１）部分にアミ（４）を介してたまり、揚げ物も蒸し物もべとついたり、ベチャッとならずほどよく温められる電子レンジで温める皿である。
また図３に示すように、図１に示す深皿もあるが、平皿も同様の効果があり、深皿も平皿もアミ（４）をはずせば、深皿は汁気の多い盛り付け皿に、平皿は普通の盛り付け皿として使用可能の電子レンジで温める皿である。
【図面の簡単な説明】
【０００７】
【図１】本発明の深皿斜視図
【図２】本発明の深皿断面図
【図３】本発明の平皿斜視図
【図４】本発明の平皿断面図
【符号の説明】
【０００８】    １  皿内側底
２  縁取り立ち上り
３  凹み
４  クリンプアミ
【図１】
2009148527.tif 000003
【図２】
2009148527.tif 000004
【図３】
2009148527.tif 000005
【図４】
2009148527.tif 000006
(57)【要約】【課題】お風呂や蒸しタオルなどで、顔にタオルをのせて使用する時、使いやすいように、タオルを顔型に整え、目口鼻部分に穴を設けた、顔型タオル。を提供する。【解決手段】タオルを顔型（１）に整え、目口鼻部分に穴（２）を設けた顔型タオルを特徴とする。【選択図】図１
2009148528.tif 000002
【特許請求の範囲】
【請求項１】
タオルを顔型に整え（１）  目、口、鼻の部分に穴（２）  を設けた顔型タオル。
【発明の詳細な説明】
【技術分野】
【０００１】この発明は、タオルを顔型に合せた、顔型タオルに関するものである。
【背景技術】
【０００２】従来、タオルは正方形や長方形をしており、顔型はなかった。
【発明の開示】
【発明が解決しようとする課題】
【０００３】これは次のような欠点があった。
従来、蒸しタオルを顔に当てる時や、風呂で、タオルを顔に当てる時など、顔全体を覆うと、水分を含んでいるので、息ができず、又敏感な目、口にも触れるので、長い時間当てる事が出来なく、困る事が多かった。本発明は、以上のような欠点をなくすためになされたものである。
【課題を解決するための手段】
【０００４】タオルを顔型（１）に整え、目、口、鼻の部分（２）に穴を設ける。
本発明は、以上の構成よりなる顔型タオルである。
【発明の効果】
【０００５】タオルが顔型になっているので、余分な部分を、折りたたむ手間が省ける。皮膚が薄く、敏感である目、口を避けて、使用する事ができる。穴が開けてあるので、呼吸するたびに剥がす手間が省ける。
【発明を実施するための最良の形態】
【０００６】以下、本発明を実施するための最良の形態について説明する。
タオルを顔型（１）に整える。目、口、鼻部分に穴（２）を設ける。本発明は以上のような構造である。
これを使用する時は、水分を含ませ、顔に張り付ければよい。
【図面の簡単な説明】
【０００７】
【図１】本発明の正面図である。
【図２】本発明の側面図である。
【符号の説明】
【０００８】１  顔型タオル
２  穴
【図１】
2009148528.tif 000003
【図２】
2009148528.tif 000004
(57)【要約】      （修正有）【課題】高さを２段調節できる、消臭機能付き帽子置き・掛けを提供する。【解決手段】円筒状の本体置台１に消臭剤入れ本体取り付け部２を設け、消臭剤入れ本体取り付け部２に本体３を取り付け、本体３の側面にベロ４を設け、消臭剤入れ本体取り付け部２にベロの溝５を設け、消臭剤入れ本体取り付け部２の底部に掛け棒差込口７を設け、掛け棒差込口７に突起６を設け、本体置台１の底部中心に消臭剤入れ本体取り付け部２の掛け棒差込口７がはまる穴８を設け、掛け棒９を設け、円筒状の本体３はメッシュ状にし、形状は上面半球状にし、使用高さを２段調節できることを特徴とした消臭機能付き帽子置き・掛け。【選択図】図３
2009148524.tif 000002
【特許請求の範囲】
【請求項１】
円筒状の本体置台（１）に消臭剤入れ本体取り付け部（２）を設け、消臭剤入れ本体取り付け部（２）に本体（３）を取り付け、本体（３）の側面にベロ（４）を設け、消臭剤入れ本体取り付け部（２）にベロの溝（５）を設け、消臭剤入れ本体取り付け部（２）の底部に掛け棒差込口（７）を設け、掛け棒差込口（７）に突起（６）を設け、本体置台（１）の底部中心に消臭剤入れ本体取り付け部（２）の掛け棒差込口（７）がはまる穴（８）を設け、掛け棒（９）を設け、円筒状の本体（３）はメッシュ状にし、形状は上面半球状にし、使用高さを２段調節できることを特徴とした消臭機能付き帽子置き・掛け。
【発明の詳細な説明】
【技術分野】
【０００１】  本発明は円筒状の本体置台に、底部中心に穴を設け、消臭剤入れ本体取り付け部を設け、消臭剤入れ本体取り付け部に本体を取り付け、本体側面にベロを設け、消臭剤入れ本体取り付け部にベロの溝を設け、消臭剤入れ本体取り付け部の底部に、掛け棒差込口を設け、掛け棒差込口に突起を設け、円筒状の本体はメッシュ状にし、形状は上面半球状にし、高さを２段調節できることを特徴とした消臭機能付き帽子置き・掛けに関するものである。
【背景技術】
【０００２】  従来、帽子掛けは、引っ掛け型がほとんどなので、形が保形できなかった。
机や棚などの上に置いたままになっているので見た目も良くないし、型崩れもする。
帽子はほとんど洗えず帽子の中に臭いがついている。
匂い袋などでは、中についた嫌な臭いは匂いのうわぬりで取ることはできない。
【発明の開示】
【発明が解決しようとする課題】
【０００３】  そのために、次のような問題点があった。
（イ）帽子掛けは、引っ掛け型がほとんどなので、形が保形できず、柔らかい素材の物な    どは、型崩れしてしまう。
（ロ）帽子の高さ（深さ）によっては掛けられない。
（ハ）警察官、運転士などの帽子は、ほとんどが洗えないので、帽子の中についた整髪料    や汗などの臭いがとれなかった。
（ニ）たとえば、一般の帽子、幼稚園帽、小学校帽、学生帽などは、机や棚などの上に置    いたままになっているので見た目も良くないし、型崩れもする。
本発明はこれらの問題点を解決するためのものである。
【課題を解決するための手段】
【０００４】  円筒状の本体置台（１）に消臭剤入れ本体取り付け部（２）を設ける。
消臭剤入れ本体取り付け部（２）に本体（３）を取り付け、本体（３）の側面にベロ（４）を設ける。
消臭剤入れ本体取り付け部（２）にベロの溝（５）を設ける。
消臭剤入れ本体取り付け部（２）の底部に掛け棒差込口（７）を設ける。
掛け棒差込口（７）に突起（６）を設ける。
本体置台（１）の底部中心に消臭剤入れ本体取り付け部（２）の掛け棒差込口（７）がはまる穴（８）を設け、掛け棒（９）を設ける。
円筒状の本体（３）はメッシュ状にし、形状は上面半球状にし、使用高さを２段調節できる。
以上のように構成された消臭機能付き帽子置き・掛け。
【発明の効果】
【０００５】  本発明は丸型によって、頭部部分がおさまり、全体に型崩れしない。
高さ（深さ）がある帽子も調節が可能なので、掛けたり置いたりできる。
帽子を被せることにより、消臭剤が中の臭いを消してくれる。
掛け型、置き型、どちらでも選べるので、どこにでも移動ができ、場所を選ばない。
本体置台のデザインや色により、風水的に使用できる。
保管、収納にも使用できる。
【発明を実施するための最良の形態】
【０００６】  以下、本発明を実施するための形態を説明する。
（イ）円筒状の本体置台（１）に消臭剤入れ本体取り付け部（２）を設ける。
（ロ）円筒状のメッシュ状の上面半球状にした本体（３）を設け、消臭剤入れ本体取り付    け部（２）に取り付ける。
（ハ）本体（３）の側面にベロ（４）を設ける。
（ニ）消臭剤入れ本体取り付け部（２）にベロの溝（５）を設ける。
（ホ）消臭剤入れ本体取り付け部（２）の底部に掛け棒差込口（７）を設ける。
（ヘ）掛け棒差込口（７）に突起（６）を設ける。
（ト）本体置台（１）の底部中心に消臭剤入れ本体取り付け部（２）の掛け棒差込口（７    ）がはまる穴（８）を設ける。
本発明は以上のような構成で、これを使用するときは、円筒状の本体置台（１）に、消臭剤入れ本体取り付け部（２）に消臭剤を入れ、取り付ける。
その上から、円筒状のメッシュ状の上面半球状にした本体（３）を取り付ける。
消臭剤入れ本体取り付け部（２）の底部の掛け棒差込口（７）を本体置台（１）の底部中心穴（８）にはめて置く。
本体（３）の側面のベロ（４）を消臭剤入れ本体取り付け部（２）のベロの溝（５）に合わせて、高さが２段調節できるので、帽子の高さに併せて、置き型として使用する。
また、図２に示すように、消臭剤入れ本体取り付け部（２）の底部の掛け棒差込口（７）に掛け棒（９）を差込んで取り付ける。
本体（３）の側面のベロ（４）を消臭剤入れ本体取り付け部（２）のベロの溝（５）に合わせて、高さが２段調節できるので、帽子の高さに合わせて、掛け型として使用する。
【図面の簡単な説明】
【０００７】
【図１】  本発明の斜視図である。
【図２】  本発明の他の実施例を示した斜視図である。
【図３】  本発明を分解した状態を示した説明図である。
【符号の説明】
【０００８】      １  本体置台
２  消臭剤入れ本体取り付け部
３  本体
４  ベロ
５  ベロの溝
６  突起
７  掛け棒差込口
８  穴
９  掛け棒
【図１】
2009148524.tif 000003
【図２】
2009148524.tif 000004
【図３】
2009148524.tif 000005
(57)【要約】      （修正有）【課題】足の機能を地面に伝えるのに、靴となるとその底は扁平であり機能は平面の堅いゴム等で打ち消されてしまっている。走る足の動作機能を十分に発揮し、かつ、足への衝撃を緩和するシューズを提供する。【解決手段】地下足袋に地面を捉える機能を持たせ、地面からの衝撃を吸収し足の平目筋に疲労を和らげる。足指部分の下をクッション構造を作る。【選択図】図２
2009148405.tif 000002
【特許請求の範囲】
【請求項１】
地下足袋型のランニングシューズの裏底に親指後方部を支点として高目のクッションを配置、他の指腹が地面を掴み、蹴れるよう低めのクッションを付ける。そして小指もこの動きに参加させるために、小高く小指下にクッションを置く。又、人差し指、中指、薬指の後方に補助的にクッションを配置することにより、走りやすくした地下足袋シューズの裏底。
【請求項２】
シューズの踵裏に十分反発の有る発砲ゴムもしくは、エアーを入れたゴム状プレートを貼り付けた請求項１記載の地下足袋シューズの裏底。
【発明の詳細な説明】
【技術分野】
【０００１】
本発明は、走る足の動作機能十分に発揮しかつ足への衝撃を緩和するシューズである。
【背景技術】
【０００２】
スポーツシューズ、ランニングシューズの裏底構造は、重心点を考慮したり、クッション性を重視したり種々ある。例えば靴底裏に溝を工夫して作成するもの、しかしその機能は、靴底が平坦であるため打ち消されている。このことは、靴のファッション性を最重視、又は素材の点で適当な物が無かった為と考えられる。
【０００３】
靴底に凹凸を付けたものとなると、ゴルフシューズ、野球用シューズ等スパイクを付けた物となる。
【０００４】
特殊な形として、靴底をふぐの腹のようにした物、踵箇所を無くしたダイエット用のもの、これらは走るためとは言い無い。
【０００５】
足の保護を目的にエアーを利用したと思われる商品も、クッション性が少なく、足の疲労を保護するのに、不十分である。
【０００６】
足の形状の物で走るなら足袋となるが、足の疲労保護には、不十分でありそこから地下足袋となる。地下足袋型スポーツシューズがあるが、指が走行機能に参加することが少なく、足の疲労は、底ゴム等が薄いため大きい。
本発明に合った素材が、無かった事が本構造の商品化されなかったことと考える。
【０００７】
【特許文献１】特許公開２００４−２０１８８５号文献
【特許文献２】特許公開平８−３３６４０３号文献
【特許文献３】特許公開２００７−１２５０７５号文献
【特許文献４】実用新案公開平６−８４９０２号文献
【発明の開示】
【発明が解決しようとする課題】
【０００８】
走る足の動きを捉えてみると、足の親指後方部を支点にして体重を前方に倒し他の４指が地面を掴むように蹴ることで前進する。この機能が十分発揮する事と
繰り返し動作が足に疲労を生じることを極力抑える必要がある。
【課題を解決するための手段】
【０００９】
裸足の走行動作を直に地面に伝えるとなると最近は５本指靴下があるが足の安全等考えれば、靴下でなく地下足袋型となる。
親指後方の肉厚点は、格闘技、エアロビックス等でも重視される力支点であるのでここを高くしておく親指は作用点として約半分の高さのクッションを配置、他の３指もこの高さ、小指は走行動作に参加しにくいので３指の箇所より若干高くする。このクッションは、発砲ゴム等で作るが上記構造を満たすならエヤー等を風船状にしてもよい。
足の疲労には、踵への地面からの衝撃が大きいの、シューズ裏底には、十分反発力のある発砲ゴム等を貼る。
本構造の裏底で地下足袋型シューズを一体として作る。
【発明の効果】
【００１０】
マラソン等長時間走るのには、疲労が少なく最適である。
短距離全力疾走には、足前面部のクッションをかための物にすることで対応できる。効果が有りすぎると、競技会用に使用禁止になる可能性がある。
【発明を実施するための最良の形態】
【００１１】
足の前面部は、説明図のクッション構造を摩擦性の高いゴム状品で包みラミネートする。
踵部分は、クッション性の高い発砲ゴム等で形にし、対摩性のゴム等でラミネートする。
【図面の簡単な説明】
【００１２】
【図１】本発明の説明した図である。
【図２】発泡ゴム等の配置図面である。Ｈは高さを表し各数値は目安である。
【符号の説明】
【００１３】
ａ    説明図面のクッショをラミネートした足先部分
ｂ    クッション性を重視したものをラミネートした足踵部分
ｃ  親指後方の小高い筋肉部に支点となるクッション。
ｄ  親指部分のクッションで支点ｃより低く地面を捉える。
ｅ  ３指後方のクッション支点ｃの補助。
ｆ  ３指部分のクッション
ｇ  小指部分のクッションで指全体が走行に参加させるために少し高くする。
ｈ  踵部分のクッションで、地面からの衝撃を和らげる。
【図１】
2009148405.tif 000003
【図２】
2009148405.tif 000004
(57)【要約】【課題】コーラ原液は、従来より、コーラ炭酸清涼飲料の基礎原料としてのみ活用されてきた。しかし、近年の健康志向の高まりにより、糖分を大量に含有するコーラ炭酸清涼飲料の生産は、低下傾向にあり、将来、更なる減少が見込まれている。そして、それ故に、その原料であるコーラ原液の生産も甚大な影響を受けることとなり、生産量の縮小は免れない。また、そればかりか、産業全体に与える影響も小さくない。よって、将来の産業上の発展を考えるならば、新たなコーラ原液の活用方法を、研究開発すべきである。【解決手段】コーラ原液を炭酸清涼飲料の基礎原料から発展的に解放し、新たな活用分野として、様々な料理における新調味料としての有効性に基づき、コーラ調味料を研究開発すべきである。すなわち、コーラ原液に様々な材料を調合及び加工した様々なコーラ調味料を、工業的に製造し、商品化する。そして、その新たな様々なコーラ調味料の様々な活用によって、料理の世界が広がると共に、新たな産業の発展を期し、大いに貢献するものである。【特許請求の範囲】
【請求項１】
コーラ原液に、様々な材料を調合及び加工した、コーラ調味料。
【請求項２】
コーラ原液に、様々な材料を調合及び加工した、コーラ調味料の製造方法。
【発明の詳細な説明】
【技術分野】
【０００１】  本発明は、コーラ原液に、様々な材料を調合及び加工した、コーラ調味料の製造方法に関する。
【背景技術】
【０００２】  コーラ原液は、発明されて以来、炭酸清涼飲料の基礎原料として活用され、コーラ原液を炭酸水で割り、様々な材料とブレンド及び加工した、コーラ炭酸清涼飲料として製造され、商品化されている。しかし、コーラという定義はあいまいで、様々なコーラ炭酸清涼飲料が製造されたが、そのほとんどは淘汰され、今では、コーラ原液は、代表的なコーラ炭酸清涼飲料の基礎原料として存在し、活用されているのみである。よって、現状においては、コーラ原液を基礎原料とした他分野の製品は、製造されておらず、研究開発も進んでいないのが、産業上の実情である。
【発明の開示】
【発明が解決しようとする課題】
【０００３】  コーラ原液は、これまで、コーラ炭酸清涼飲料の基礎原料としてのみ位置付けられ、他の活用方法の研究開発は、皆無であるといってよい状況にある。また、健康志向の高まりによって、糖分を大量に含有するコーラ炭酸清涼飲料の生産量が低下傾向にあり、今後、ますます飲用規制が厳しくなり、さらに、低下が激しくなるものと予想される。その結果、コーラ原液も当然ながら影響を受け、生産量を減少させざるおえない。しかし、今後の産業発展の観点から思考するならば、コーラ原液が、生産量の低下がさらに見込まれる、炭酸清涼飲料だけの原料である現実を直視しなければならない。そして、新たな発想によって、現状を打開し、コーラ原液の新たな活用を計り、新分野での基礎原料としての位置付けが求められている。
【課題を解決するための手段】
【０００４】  以上の課題を解決するための、第一発明は、コーラ原液に、様々な材料を調合及び加工した、コーラ調味料である。また、第二発明は、コーラ原液に、様々な材料を調合及び加工した、コーラ調味料の製造方法である。
【発明の効果】
【０００５】  第一発明により、従来、特定の炭酸清涼飲料の基礎原料に限定されていたコーラ原液を、生産低下が続く炭酸清涼飲料の原料から発展的に解放することになり、コーラ原液の活用を、炭酸清涼飲料から料理分野の原料へと展開することが出来る。すなわち、コーラ原液を塩、砂糖、香辛料、醤油、酢などと同様の調味材料と位置付けることにより、今までに無い、コーラ原液と他の調味材料との様々な組み合わせが可能となる。このことにより、コーラの要素を付加した様々な料理を新たに誕生させることとなり、コーラ原液の料理分野への進出を実現させ、さらなる、コーラ原液の活用を計ることにより、産業上の発展を期することが出来る。【０００６】  また、第二発明は、新たなコーラ原液の活用を計るための製造方法である。従来、コーラ原液は、炭酸水によって割られ、他の様々な材料とブレンド及び加工することにより、コーラ炭酸清涼飲料として、製造され、商品化されているのみであり、コーラ原液の活用は限定されている。しかし、この発明による産業上の工業的製造方法によって、新たに様々な調味料を製造することが可能となり、コーラ原液の活用の幅が無限に広がることとなる。すなわち、実用化されている様々な調味料の様々な工業的製造方法と同様に、コーラ原液を調味材料とした工業的製造方法を様々に確立することにより、コーラ原液其のものを加工したコーラ調味料をはじめ、様々な調味材料との組み合わせによる様々なコーラ調味料の工業的製造を可能とする。このことにより、新たなコーラ調味料の研究開発を、更に推進することによって、コーラ原液の産業上の発展を期し、大いに貢献するものである。
【発明を実施するための最良の形態】
【０００７】  コーラ原液其のものの要素を最大限に活かし、様々な料理の味付け等調理に活用する、ソースや醤油等と同様の基礎調味料としてのコーラ調味料。更に、これを基本として、様々な材料とコーラ原液を調合し加工することによって、コーラの要素を付加した調味料として、工業的に製造され、製品化されたコーラ調味料。そして、これら様々なコーラ調味料が製造され、商品化されて、様々な料理に利用されるとき、コーラ原液の新しい活用方法として、新たな料理の世界が広がると共に、コーラ原液の需要も拡大することとなる。また、様々なコーラ調味料の新製品の誕生と成長によって、産業の発展を基する。
【実施例】
【０００８】  和洋中等の様々な料理の調理時に、コーラ調味料を味付け等に活用した様々なコーラ風味料理。【０００９】  コーラ原液に醸造酢や食用油等を調合し加工したコーラドレッシング。
(57)【要約】【課題】疑似餌に用いるリップは、素材の種類によらず、たわむこたがなく、受ける余分な水圧を逃がす事ができなかったために、安定した動きができずにバランスを崩したり動かなくなっていた。また、たわまないために障害物に接触した際に障害物に引っかかることが多かった。【解決手段】リップ１をたわみのでる素材を使用し、独立したラインアイ２を設けて境目３をたわませる。【選択図】図１
2009148238.tif 000002
【特許請求の範囲】
【請求項１】
水を受ける部分（リップ）を軟質（たわみのでる）素材を使用し、独立した糸を結ぶ部分（ラインアイ）を設けたことを特徴とした疑似餌。
【請求項２】
前記リップは、ＦＲＰ、エラストマー、ゴム、金属等で水圧を受けたときにたわむ素材であることを特徴とする請求項１記載の疑似餌。
【請求項３】
前記ラインアイは、本体ではなくたわみのでるリップに独立して設けられたことを特徴とする請求項１記載の疑似餌。
【発明の詳細な説明】
【技術分野】
【０００１】  この発明は、釣りに用いる疑似餌の素材と形状に関する。
【背景技術】
【０００２】  従来の釣りに用いる疑似餌の形状は、図２と図３に示すようにラインアイが本体に埋め込まれているものである。また、図４のように独立したものは硬質素材で厚みがあるためにたわむことがない。今までにたわみを利用してラインアイを独立させたものが存在しない。
【発明の開示】
【発明が解決しようとする課題】
【０００３】  しかしながら、以上の技術によれば、余分な水圧を逃がすことができず、動かす速さにより安定した泳ぎを演出できなかった。また、障害物へ接触した際の回避能力がそこなわれている物が多かった。また、最高深度に達した際に水圧により疑似餌の動きが悪くなっていた。
そこで、この発明は、より安定した泳ぎと障害物の回避性能、最高深度での変わらぬ泳ぎを提供することを課題とする。
【課題を解決するための手段】
【０００４】  以上の課題を解決するために、第一発明は、リップを軟質（たわみのでる）素材を使用し、独立したラインアイを設けたことを特徴とする疑似餌。
また、第二発明は、ＦＲＰ、エラストマー、ゴム、金属等で水圧を受けたときにたわむ素材であることを特徴とする疑似餌。
また、第三発明は、ラインアイは本体ではなくたわみのでるリップに独立して設けられたことを特徴とする疑似餌。
【発明の効果】
【０００５】  第一発明、第二発明、第三発明によれば、疑似餌のリップをＦＲＰ、エラストマー、ゴム等のたわみのでる素材でラインアイを独立で設けたので、たわみが戻る反発作用により、障害物の回避、最高深度での機敏な動きとより安定した動きを実現。
【発明を実施するための最良の形態】
【０００６】  この発明の一実施形態を、図１に示す。
疑似餌に装着されているリップ１はたわみのでる素材であり、このリップ１に独立したラインアイ２が独立して設けられている。【０００７】「実施形態の効果」
この実施形態によれば、リップ１とラインアイ２の働きで、リップ１が水の抵抗を受けたときにリップ１と疑似餌本体４の境目３の部分がたわむため、余分な水圧を逃がし安定した動きを実現する。また、障害物に接触した際、たわみが戻る力で障害物を回避できる。【０００８】「他の実施形態」
図１の実施形態では、リップ１そのものがたわみのでる素材であったが、他の実施形態では、境目３の部分をたわみのでる素材を使うジョイント方式のものでも良い。
【図面の簡単な説明】
【０００９】
【図１】この発明の一実施形態を示す斜視図である。
【図２】従来技術を示す斜視図である。
【図３】従来技術を示す斜視図である。
【図４】従来技術を示す斜視図である。
【符号の説明】
【００１０】１  リップ                        ２  ラインアイ
３  リップと疑似餌本体の境目      ４  疑似餌本体
【図１】
2009148238.tif 000003
【図２】
2009148238.tif 000004
【図３】
2009148238.tif 000005
【図４】
2009148238.tif 000006
(57)【要約】【課題】  キーウイーフルーツの酸味成分の生成を極力押さえ、出荷に合わせながら酸度を抑え、甘味感が増強されたキーウイーフルーツ及びキーウイーフルーツの処理方法を提供する【解決手段】樹木からもいで収穫した固くて、すっぱく、糖度も低い未熟果のキーウイーフルーツに、追熟室内で３０〜５０重量％濃度のエチルアルコール水溶液をキーウイーフルーツ重量当たり１０００分の１〜５００分の１量噴霧することによって、約三日後には、酸味の増加が抑えられ、甘味感が大きく増強されたキーウイーフルーツ。  【選択図】なし【特許請求の範囲】
【請求項１】
固くて、酸度が高く、糖度も低い未熟果のキーウイーフルーツに、追熟室内でエチルアルコール水溶液を噴霧することを特徴とする甘味が増強されたキーウイーフルーツ。
【請求項２】
エチルアルコール水溶液の濃度が３０〜５０重量％である、請求項1に記載の甘味が増強されたキーウイーフルーツ。
【請求項３】
３０〜５０重量％濃度のエチルアルコール水溶液をキーウイーフルーツの重量の１０００分の１ないし５００分の１倍量噴霧することを特徴とする請求項１または請求項２に記載の甘味が増強されたキーウイーフルーツ。
【発明の詳細な説明】
【技術分野】
【０００１】
この発明は、アルコール処理することによって甘味が増強されたキーウイーフルーツ及びキーウイーフルーツの処理方法に関する。
【背景技術】
【０００２】
キーウイーフルーツは、その気持ちのいい淡緑色と寒天状で水分に富み、味と香りが上品で近年需要が伸びているフルーツの一つである。キーウイーフルーツの多くはニュージーランドから輸入され、一部愛媛県を含めて国内産品も出回っている。樹木からもいで収穫した固くて、すっぱく、糖度も低い未熟果のキーウイーフルーツは、バナナと同様、エチレン含有環境下に追熟させて甘味の増強を図っているが、元々澱粉含有量が少ないので、追熟によって、バナナのように甘味が大きく増加することは無い。また、バナナと異なり、渋み成分も含有しないので、渋みのマスキングによる甘味増強の効果も期待できない。
【０００３】
バナナはフィリピン、インドネシア、台湾、中国、エクアドル等より船便にて輸入され、日本に着いた時点では未熟果（緑色）であるが、加工業者によってエチレン処理を施すことによって追熟させ、小売店に出荷される。バナナの追熟の進み具合は、温度に大きく影響されるため、出荷に合わせて追熟時の温度をコントロールする方法や（特開２０００−２１００１１）、亜酸化窒素、アルゴン、酸素、窒素、二酸化炭素および不活性ガスを組み合わせる種々の手順を用いて、果物を保存する方法が公知である（特表２００６−５２５０１２）。そのような手段の目的はすべて、エチレンの合成を遅延させ、それによって果実の熟成過程の開始を遅延させることである。
【０００４】
一方、キーウイーフルーツは、元々酸度が比較的高く、そのすっぱさが魅力でもあるが、糖度はエチレン追熟によっても、自然熟成と大きくは変わらないのが難点である。そして、渋み成分も含有しないので、渋み成分を含有する果物の追熟手段として一般的な温熱処理もキーウイーフルーツには効果は無い。
【特許文献１】特開２０００−２１００１１公報
【特許文献２】特表２００６−５２５０１２公報
【発明の開示】
【発明が解決しようとする課題】
【０００５】
この発明は、上記の如き問題点に鑑みてなされたものであり、キーウイーフルーツの酸味成分の生成を極力押さえつつ、出荷に合わせながら甘味感の増強を高進する、甘味が増強されたキーウイーフルーツ及びキーウイーフルーツの処理方法を提供するところに在る。
【課題を解決するための手段】
【０００６】
本発明者らは、樹木からもいで収穫した固くて、すっぱく、糖度も低い未熟果のキーウイーフルーツに、追熟室内でエチルアルコール水溶液を噴霧することによって、約三日後には、酸味が抑えられ、甘味が大きく増強された食感のあるキーウイーフルーツが得られることを見出し、この知見に基づいて本発明を完成した。
【発明の効果】
【０００７】
本発明によって、キーウイーフルーツの酸度の生成が抑えられ、甘味度が大幅に向上するが、極めて容易且つ短時間でこれらの効果が上がり、従来酸味が強く、甘味感において劣るとされていた国内産のキーウイーフルーツでも、その酸度の増加を抑制しつつ、甘味度の強い製品が得られるという大きな効果が有る。
【発明を実施するための最良の形態】
【０００８】
本発明を実施することによって甘味が増強され、酸味成分の生成が抑制されたキーウイーフルーツを調製するに当たっては、木からもいで収穫された、固くて、酸度が高く、糖度も低い未熟果のキーウイーフルーツに、追熟室内でエチルアルコール水溶液を直接噴霧するのが好ましい。このエチルアルコール水溶液の濃度は、２０〜５０重量％が好ましく、３０〜４０重量％のものが一層好ましい。
【０００９】
使用するエチルアルコール水溶液の量は、３０〜５０重量％濃度のエチルアルコール水溶液を処理するキーウイーフルーツ重量あたり、２０００分の１乃至１００分の１、より好ましくは１０００分の１乃至５００分の１倍量が適当である。追熟室の温度は摂氏15度乃至25度、より好ましくは18度乃至20度が適当である。
エチルアルコール水溶液を噴霧されたキーウイーフルーツは、処理後5日程度で食べごろとなるので、処理終了後3日で出荷するようスケジュール管理することが好ましい。
【実施例】
【００１０】
実施例1
追熟室にて室温で、未熟キーウイーフルーツ（平均重量100ｇ／個）各10個ずつに33重量％濃度のエチルアルコール水溶液を等重量当たり1000分の１等重量を噴霧器を用いて噴霧してそのまま放置した。処理5日後に常法により、酸度及び糖度を測定した。結果を表1に示す。表1に示したごとく、エチルアルコール処理したキーウイーフルーツは明らかに、その酸度は低下していた。
【００１１】
【表１】
2009148166.tif 000002
【００１２】
実施例2
平成19年11月23日に、神戸市西区の団地自治会集会所にて無作為に集めた団地内居住の主婦26名のパネルに実施例1と同様にして処理、無処理のキーウイーフルーツを試食させ、食味を聞いた。結果を表2に示した。表2に示した如く、有意にエチルアルコール処理したキーウイーフルーツの酸味度低下及び甘味感向上の返答が多かった。
【００１３】
【表２】
2009148166.tif 000003
(57)【要約】【課題】表面にコーティング及び焼付け処理するだけで放射線ホルミシス効果を得ることができる製品の提供を目的とする。【解決手段】ガラス質成分を含有する鉱石の微細粉と、低レベル放射性物質を含有する鉱石の微細粉とを水に懸濁させた懸濁液を基材の表面にコーティングし、その後に焼付け処理して得られたものであることを特徴とする。【選択図】  図１
2009148311.tif 000002
【特許請求の範囲】
【請求項１】
ガラス質成分を含有する鉱石の微細粉と、低レベル放射性物質を含有する鉱石の微細粉とを水に懸濁させた懸濁液を基材の表面にコーティングし、その後に焼付け処理して得られたものであることを特徴とする放射線ホルミシス効果性製品。
【請求項２】
基材は、陶磁器であることを特徴とする請求項１記載の放射線ホルミシス効果性製品。
【請求項３】
基材は、金属製品であることを特徴とする請求項１記載の放射線ホルミシス効果性製品。
【請求項４】
基材は、合成革製品であることを特徴とする請求項１記載の放射線ホルミシス効果性製品。
【発明の詳細な説明】
【技術分野】
【０００１】
この発明は、放射線ホルミシス効果を付与した製品に関する。
【背景技術】
【０００２】
秋田県の玉川温泉といえば岩盤浴発祥の地として知られ、がん患者の湯治客が多いことでも知られている。
なぜ、がんにいいといわれるのかは、はっきりとは分かっていないようですが、微量の放射線や岩盤浴による温熱、遠赤外線などが効果を発揮しているというのが通説のようです。
そこで、玉川温泉で実際に放射線量を計ってみると１時間当たり２マイクロシーベルトの放射線が出ていることが明らかになった。
シーベルトは放射線量を表す単位で、１年間では１７．５２ミリシーベルトとなる。
つまりこの程度の放射線量であれば体にいいという類推も可能であり、普通に暮らしている人や宇宙や大地などから浴びる放射線量は年間２．４ミリシーベルト程度である。
【０００３】
また、これまでに、マイナスイオンを発生するとされている商品が多く提案されていることから、マイナスイオンの発生数と放射線量との関係を調査した。
その結果を図１に示す。
これにより、マイナスイオンを発生する効果を有している商品は放射線も放射していることが分かる。
しかし、マイナスイオン発生物質、遠赤外線放射性物質が鉱石、セラミックスであることから樹脂に混練して製造するものが殆どであったために用途が限定されていた（特許文献１参照）。
【０００４】
【特許文献１】特開２００７−１５２０５２号公報
【発明の開示】
【発明が解決しようとする課題】
【０００５】
本発明は、表面にコーティング及び焼付け処理するだけで放射線ホルミシス効果を得ることができる製品の提供を目的とする。
【課題を解決するための手段】
【０００６】
本発明に係る放射線ホルミシス効果性製品は、ガラス質成分を含有する鉱石の微細粉と、低レベル放射性物質を含有する鉱石の微細粉とを水に懸濁させた懸濁液を基材の表面にコーティングし、その後に焼付け処理して得られたものであることを特徴とする。
ここで、基材は、焼付け温度に耐えられるものであれば、特に限定はなく、陶磁器、金属製品、合成革製品などが例として挙げられる。
【０００７】
ここで放射線ホルミシス効果性を有するとは、放射線量が所定の範囲に設定されたものをいい、生命の活力を刺激し、健康に役立つものであり、本発明に係る商品の用途に応じて設定できる。
図１に示したグラフで説明すると、Ａの領域は自然界で受ける程度の放射線量の範囲（２ｍＳｖ／年以下）である。
Ｂの領域はＡの領域より多いが、１０ｍＳｖ／年以下の範囲である。
Ｃの領域は玉川温泉で測定した放射線量の範囲である。
Ａ領域に設定した製品は身の回りに置いて日常的に使用する製品に適用し、Ｂ領域に設定した製品は寝具などの１日当たり８時間以内の使用製品に適用し、Ｃ領域に設定した製品はコーヒーカップなどの短時間使用する製品に適用される。
【０００８】
本発明において、ガラス質成分を含有する鉱石の微細粉とは、焼付け処理時に溶融してガラス質を形成する鉱石を細かい粉末状にしたものをいう。
より具体的には、陶磁器のうわぐすりに用いる釉薬用の鉱石（粘土を含む）及び琺瑯、エナメルに用いるうわぐすり用の鉱石が該当する。
鉱石の例としては、ガラス質を形成する骨材となる長石、カオリン、珪石などが例として挙げられる。
この場合に糊材となるアルミナや粘土質原料及び溶融温度を調整する石灰などの媒熔剤が含まれてもよい。
【０００９】
本発明において、低レベル放射性物質を含有する鉱石とは、モナザイト（Ｍｏｎａｚｉｔｅ）が代表例である。
モナザイトは、セリウム，ランタン，ネオジムなどの希土類元素を含有している。
また、トリウムも微量に含有している。
なお、低レベルの放射線を放射するものであればモナザイトに限らず、各種天然鉱石を粉末にして用いることができる。
また、マイナスイオンを発生するもの、遠赤外線を放射するものを混合してもよく、トルマリン、石川県の戸室石などを混合してもよい。
【発明の効果】
【００１０】
本発明においては、釉薬又はエナメルに低レベルな放射性物質含有鉱石の微細分を混合した懸濁液としたことにより、この懸濁液を基材にコーティングして焼付けるだけで容易に放射線ホルミシス効果を有する製品を得ることができる。
【発明を実施するための最良の形態】
【００１１】
本発明は日用品、建具、寝具などの各種用途製品に適用できるが以下実施例について説明する。
素焼きのコーヒーカップを基材とし、この釉薬原料粉に質量で約５〜１０％のモナザイト鉱石粉末を混合し、水にて練り、コーヒーカップの表面にコーティングしたものを炉に約７００℃×１時間入れ焼付け処理した。
このようにコーティング処理したコーヒーカップは図１のグラフにおけるＣ領域の製品となった。
【００１２】
焼付け温度が低いエナメルにペグマタイト系の天然鉱石の粉末を質量で１０〜２０％及び戸室石の粉末を５〜１０％混合し、これを合成革にコーティング及び焼付けしソファにした。
この製品はＡ領域に近いＢ領域の製品となった。
【図面の簡単な説明】
【００１３】
【図１】マイナスイオンの数と放射線量の関係を示す。
【図１】
2009148311.tif 000003
(57)【要約】【課題】  天ぷら鍋において、油はねを防止するために鍋蓋にカバーをかけて、油はねを防止して汚れや火傷を防ぐことを目的とする。【解決手段】  防炎剤を含浸させた吸水性のよいキッチンペーパーの周縁にゴム紐を通し、このキッチンペーパーの中央に同じく吸水性のよい円形の厚手のキッチンペーパーによる底形を形成し、この厚手部分を鍋蓋の開口部に当てて、鍋蓋全体を包み鍋にかける。【選択図】    図１
2009148323.tif 000002
【特許請求の範囲】
【請求項１】
防炎剤を含浸させて円形に形成したキッチンペーパー（１）の周縁に袋縫い部を形成してゴム紐（３）を通し、該キッチンペーパー（１）の中央に吸水性のよいキッチンペーパーの厚手部（２）を積層して成る使い捨て鍋蓋カバー。
【発明の詳細な説明】
【技術分野】
【０００１】
本発明は煮焚中に発生する水蒸気を吸収する使い捨て鍋蓋カバーに関する。
【背景技術】
【０００２】
鍋蓋をしたまま火に掛けることは普通であるが長時間火にかける場合には鍋中からの水蒸気が鍋中に戻り、味付けが思うようにならない。このため途中で蓋を外して煮つめる等の調理手段をとることは普通に行われている。
【０００３】
また天ぷらを揚げるときには普通蓋をしないが、天ぷらの場合、油はねがあって鍋の周囲を汚すことがあり、これをきらって鍋蓋をすると水蒸気が油の中に入り、油はねが余計にひどくなる欠点があった。
【特許文献１】特開２００４−３３７５６６号公報
【発明の開示】
【発明が解決しようとする課題】
【０００４】
本発明は鍋蓋全体にカバーをかけることによって、鍋からの水蒸気を吸収することによって調理時間の短縮を計り、特に天ぷら等の揚げ物の場合に蓋をすることによって油はねを防ぐことができて鍋の周囲を汚すことなく、また油はねによる火傷を防ぐことができる。
【課題を解決するための手段】
【０００５】
発明者は、この鍋蓋カバーについて試作研究を続けた結果本発明に到達したもので、本発明の鍋蓋カバーは防炎剤を含浸させた吸水性のよいキッチンペーパーを用い、この円形に形成したキッチンペーパーの周囲にゴム紐を通し、このキッチンペーパーの中央にさらに吸収性のよい厚手のキッチンペーパーを積層してこの部分を鍋蓋の開口部に当て、全体
に覆うことにより鍋蓋カバーを完成させる。
【０００６】
このようにして形成された鍋蓋カバーは、周囲にゴム紐を通してあるため大・中・小の鍋蓋に適用することができると共に、鍋蓋の開口部に厚手のキッチンペーパーがあるためきわめて吸水性がよく、使用中に鍋内に水滴が落下することがなく、揚げ物の調理中において油はねの心配が全くない。また防炎剤を含浸するため容易に燃えることもなく、さらに使い捨てとすることによって調理の後処理も簡単となる。
【発明の効果】
【０００７】
本発明の鍋蓋カバーを用いて調理をした場合には蓋からの水蒸気の滴下がなく調理時間を早めるばかりでなく、味付けが希望通りに仕上る。また天ぷら等の揚げ物の調理に使用する場合には、鍋周囲の油はねが少なくて台所を清潔に保て、またこの油はねによる火傷の心配もなく安心して調理が行えるという画期的な調理上の効果を奏する。
【発明を実施するための最良の形態】
【０００８】
添付図面により本発明の実施の形態を説明すると、図１は本発明の鍋蓋カバーの展開図であって、（１）は防炎剤を含浸させた吸水性のよいキッチンペーパーで、ほぼ丸形であって、この周囲縁部にゴム紐（３）を挿通する。（２）は、この広げたキッチンペーパー（１）の中央に積層した少し部厚い同じような吸水性のよいキッチンペーパーで鍋蓋の裏面開口部に当てる。
【０００９】
図２は、鍋蓋に本発明の鍋蓋カバーを全体にかけた平面図で、カバー（１）の縁部のゴム紐（３）を締めて結び目（５）を作って固定する。図中の符号（４）は鍋蓋のツマミを示している。      
【００１０】
図３はカバー（１）をかけた鍋蓋の側面図を示すものであって鍋カバー（１）の中央の厚手布の部分（２）が鍋蓋の裏面開口部に位置している。このカバーは周縁にゴム紐（３）を設けて上部で締めるため大形、中形、小形の鍋蓋に適用でき、通常の炊飯用の鍋蓋や揚げ物用の鍋蓋、フライパンの鍋蓋にも応用が可能で使い捨てとするため調理後の処理が簡単である。さらにこの鍋カバーは紙製品でありながら防炎剤を含浸するため容易に燃えることがなく、通常の調理では変化がなく火災の心配はない。
【産業上の利用可能性】
【００１１】
本発明の鍋蓋カバーは、調理中に鍋蓋をずらしたり、外したりしての煮焚の必要がなく、蓋をしたままでの調理が可能なため調理時間を早め、特に天ぷら鍋に使用するときは、油はねを防ぐことができるため火傷の心配もなく、台所の汚れもない。そしてこの鍋蓋カバーは紙製品で使い捨てのため、この蓋カバーの利用は主婦の心強い味方となりきわめて大きい。
【図面の簡単な説明】
【００１２】
【図１】蓋カバーの展開図
【図２】カバーをかけた鍋蓋の平面図
【図３】鍋蓋の側面図
【符号の説明】
【００１３】
１  蓋カバー
２  中央の厚手のキッチンペーパー
３  ゴム紐
４  鍋ツマミ
５  ゴム紐の結び目
【図１】
2009148323.tif 000003
【図２】
2009148323.tif 000004
【図３】
2009148323.tif 000005
(57)【要約】 【課題】  従来の粘着ロールクリーナーは使用後の粘着部の汚れ等で再使用する際、切り取る部分が判りづらく、途中で破けたりきれいに剥がせずいらついたり手、指等汚したりで精神的にも衛生面に於いても問題があった。【解決手段】ロール本体（１）の表面に縦、又は横いずれの線状に設けられた粘着（２）に於いて一定の間隔で左右、斜めに階段状に構成された切りはがしミシン目部（５）を設け（１）の裏面を無粘着部（４）としその中央位置に使用後の粘着紙を切り剥がす為の着色切り剥がし帯部（６）をミシン目部（５）の中央より１０ｍ/ｍ先端位置をもって切り目を入れる事で切り剥がし爪部（７）を得る事が出来、それによってロールクリーナーの再使用時に爪部（７）を摘まみ剥がす事で汚れた粘着部（２）をいらつく事なくスムーズに切り剥がす事が出来る為、手、指等も汚さず衛生的な切り取り粘着ロールクリーナー【選択図】図５
2009148342.tif 000002
【特許請求の範囲】
【請求項１】
ロール状に巻かれたロール紙の表面部に一定の巾、一定の間隔の線状による粘着部（２）と、ロール紙の裏面部を粘着のない無粘着（４）のロール紙に於いてロール紙巻き方向の中央部に一定巾の紙、若しくは樹脂でなるフィルム状の着色された両面無粘着による切り剥がし帯（６）をロール紙の無粘着部（４）と粘着部（２）の間に一定の長さ、若しくはロール全長に延ばし構成された切り取り粘着ロールクリーナー。
【請求項２】
請求項１に記載するロール紙粘着紙に於いて使用後のゴミ、髪の毛等で汚れた粘着紙を切り取り剥がす際に切り取る部分を容易に見つけ易くする為、切り取りミシン目（５）の中央部上に着色された一定の長さのカット加工された剥がし爪（７）を設け、切り剥がす位置が判らずイライラしたり、汚れが手、指に付着する等の問題を解決する事で精神的にも衛生面に於いてもやさしい切り取り粘着ロールクリーナー
【発明の詳細な説明】
【技術分野】
【０００１】
本発明はロールクリーナー使用後の粘着紙に於いて切り取り、剥がし等を行う事によってスムーズに再使用出来る切り取り粘着ロールクリーナーに関する。
【背景技術】
【０００２】
従来の切り取り粘着ロールクリーナーにはロール本体粘着部に切り取り剥がす為のミシン目がなくロール両端に一部切れ目だけを入れたものがあった。
【０００３】
ミシン目又は、切れ目がロール長手方向に加工され、粘着紙の中央に切り取り部を設けたものもあった。
【０００４】
以上に述べた従来の切り取り粘着ロールクリーナーは再使用する際にほこり、ゴミ、髪の毛等で汚れが付着して切り取り部が隠れてしまった。
【特許文献１】特開    昭６０−１８９５４４号  公報
【発明の開示】
【発明が解決しようとする課題】
【０００５】
又、粘着部にミシン目による切れ目があっても使用後の汚れ等が付着し、剥がす位置が見つからず、手間取ったり、指、手等を汚したりして不衛生であった。
【０００６】
本発明はこのような従来の構成が有していた問題を解決しようとするものであり、使用後の粘着紙をスムーズに切り剥がせ再使用出来る事を目的とされるものである。
【課題を解決するための手段】
【０００７】
本発明は上記の目的を達成する為にロール本体部（１）紙表面に粘着部（２）を一定の巾、間隔で線状に縦、若しくは横に構成し、ロール本体部（１）の両端に一定の巾の無粘着部（３）を設けた。
【０００８】
又、ロール本体部（１）紙の長さ方向の一定位置に切り剥がす為の切り剥がしミシン目部（５）をロール本体部（１）の中央より左右斜めに設け使用後繰り返し切り剥がす事が出来るよう構成した。
【０００９】
更にロール本体部（１）紙の裏面は無粘着部（４）とし又、ロール本体部（１）の巾中央位置に一定巾の両面無粘着による薄い紙又はフィルム状の着色された帯をロール本体（１）と同じ長さに設けた。
【００１０】
そして、両面無粘着帯を切り剥がし帯部（６）とし、切り剥がしミシン目部（５）の中央部より切り剥がし帯部（６）を長くし、一定の位置で切り目を加工する事で切り剥がす為の切り剥がし爪部（７）を設ける事が出来た。
【発明の効果】
【００１１】
以上の解決手段によって使用後の粘着紙に付着したホコリ、ゴミ、髪の毛等の汚れで指、手等を汚さずスムーズに切り取り剥がす事が出来る。
【００１２】
上述したように本発明の切り取り粘着ロールクリーナーはロール本体部（１）の表面に縦、若しくは横に線状の粘着部（２）を設け、切り剥がす為の切りはがしミシン目部（５）をロール本体部（１）中央位置より左右、斜めに設けた。
【００１３】
そしてロール本体部（１）の裏面の無粘着部（４）の中央位置に一定巾の着色された薄い紙、若しくはフィルムによる帯状に加工された切り剥がし帯部（６）を設けた。
【００１４】
更に切り剥がし帯部（６）を切り剥がしミシン目部（５）の中央位置より一定の長さをもってカットされた切り剥がし爪部（７）を構成し再度使用する時着色され（７）によって切り剥がす位置が容易に確認出来る。
【発明を実施するための最良の形態】
【００１５】
以下、本発明の実施形態を図５に基づいて説明する。
【００１６】
図においては、ロール本体（１）の表面上に縦、若しくは横の線状の粘着部（２）を設け（１）の中央位置に左右、斜めに階段状にミシン目を加工した切り剥がしミシン目部（５）を設けた。
【００１７】
ロール本体部（１）の裏面を無粘着部（４）とし、その中央位置に一定巾の着色された薄い紙、若しくはフィルム状の帯を切り剥がし帯部（６）とし、（６）をロール本体の長さ若しくは一定の長さに設けた。
【００１８】
そして一定巾に設けられた切り剥がしミシン目（５）の各、中央位置より１０ｍ/ｍの位置に切り剥がし帯を半円状にカットした切り剥がし爪（７）を設けた。
【００１９】
以下、上記構成の動作を説明する。ロール本体部（１）を使用し、ホコリ、ゴミ、髪の毛等の汚れた粘着部（２）を切り剥がし、再使用する時着色された切り剥がし爪部（７）をはがす、又は摘まみ切り剥がし帯部（６）によって汚れた粘着部（２）がスムースに且つ簡単に切り剥がす事が出来る。
【図面の簡単な説明】
【００２０】
【図１】本発明の平面図
【図２】本発明の正面図
【図３】本発明の側面図
【図４】本発明の展開図
【図５】本発明の斜視図
【符号の説明】
【００２１】
１  ロール本体部
２  粘着部
３  表面両端無粘着部
４  裏面無粘着部
５  切り剥がしミシン目部
６  着色切り剥がし帯部
７  着色切り剥がし爪部
【図１】
2009148342.tif 000003
【図２】
2009148342.tif 000004
【図３】
2009148342.tif 000005
【図４】
2009148342.tif 000006
【図５】
2009148342.tif 000007